(57)【要約】【課題】管理者が複数の縫製装置の各々の作業状況を容易に把握可能な情報処理装置、情報処理システム、及び情報処理方法を提供することである。【解決手段】情報処理装置２は通信部２５、記憶装置２４、制御部２１を備える。制御部は複数の端末装置５、１０の各々から、縫製装置３を識別する識別情報と、状況情報とを通信部２５を介して受信し、時刻情報と関連付けて記憶装置２４に記憶する。制御部２１は、色割付テーブルが記憶する状況種別と色情報との対応の変更を受け付け、色割付テーブルを更新する。制御部２１は第一表示要求に応じて、複数の縫製装置３の各々についての最新の状況情報を色割付テーブルが記憶する色情報の色を用いて表示する。制御部２１は第二表示要求に応じて、識別情報に対応する所定期間内の状況情報を色割付テーブルに記憶する色情報の色を用いて表示する。【選択図】図１
2018055494.tif 000002
【特許請求の範囲】
【請求項１】
縫製装置による作業状況の種類を示す状況種別を含む状況情報を送信可能な複数の端末装置の各々と通信可能な通信部と、
互いに異なるＮ個の前記状況種別の各々を、互いに異なる色を示す前記Ｎよりも小さいＭ個の色情報の何れかに割付けた色割付テーブルを記憶する記憶装置と、
制御部とを備え、複数の前記縫製装置の各々について、前記状況情報を処理する情報処理装置において、
前記制御部は、
前記複数の端末装置の各々から、前記縫製装置を識別する識別情報と、前記状況情報とを前記通信部を介して受信する受信手段と、
前記状況情報と、前記状況情報を取得した時刻を示す時刻情報とを、前記識別情報に関連付けて前記記憶装置に記憶する記憶制御手段と、
前記色割付テーブルが記憶する前記状況種別と前記色情報との対応の変更を受け付ける受付手段と、
前記受付手段が前記状況種別と前記色情報との対応の変更を受け付けたことに応じて、前記色割付テーブルを更新する更新手段と、
第一表示要求を取得する第一取得手段と、
前記第一取得手段が前記第一表示要求を取得したことに応じて、前記複数の縫製装置の各々についての最新の前記状況情報を、前記記憶装置の前記色割付テーブルが記憶する前記色情報の色を用いて、第一表示として表示部に表示する第一表示制御手段と、
前記識別情報を含む第二表示要求を取得する第二取得手段と、
前記第二取得手段が前記第二表示要求を取得したことに応じて、前記第二表示要求が含む前記識別情報に対応する、所定期間内の前記状況情報を前記記憶装置から取得する第三取得手段と、
前記第二取得手段が前記第二表示要求を取得したことに応じて、前記第三取得手段が取得した前記所定期間内の前記状況情報を、前記色割付テーブルに記憶する前記色情報の色を用いて、第二表示として前記表示部に表示する第二表示制御手段
として機能することを特徴とする情報処理装置。
【請求項２】
前記記憶装置は互いに異なる前記Ｎ個の状況種別に対応する所定の情報を記憶し、
前記制御部は更に、
前記表示部が表示する前記第一表示又は前記第二表示において、色で示す状況種別を選択する操作情報を取得する第四取得手段と、
前記第四取得手段が取得した前記操作情報に応じて、前記記憶装置が記憶する、前記操作情報が示す前記縫製装置の前記状況種別に対応する前記所定の情報を前記表示部に表示する第三表示制御手段
として機能することを特徴とする請求項１に記載の情報処理装置。
【請求項３】
前記記憶装置は更に、前記縫製装置の機種を示す機種情報と、機種アイコンを表す第一アイコン情報との対応を記憶し、
前記受信手段は、前記複数の端末装置の各々から、前記識別情報と、前記機種情報と、前記状況情報とを前記通信部を介して受信し、
前記第一表示制御手段は、前記第一表示として、前記記憶装置が記憶する前記機種情報と前記第一アイコン情報との対応に因り、前記最新の状況情報が示す前記状況種別に応じた色で、前記縫製装置の前記機種情報に対応する前記機種アイコンを前記表示部に表示することを特徴とする請求項１又は２に記載の情報処理装置。
【請求項４】
前記記憶装置は更に、前記状況種別と、状況アイコンを表す第二アイコン情報との対応を記憶し、
前記第一表示制御手段は、前記第一表示として、前記記憶装置が記憶する前記状況種別と前記第二アイコン情報との対応に因り、前記最新の状況情報が示す前記状況種別に応じた色で、前記状況種別に対応する前記状況アイコンを前記表示部に表示することを特徴とする請求項１〜３の何れかに記載の情報処理装置。
【請求項５】
前記記憶装置は更に、前記縫製装置に電気的に接続されていない前記端末装置の種類を特定する種類情報と前記識別情報との対応を記憶し、
前記第三表示制御手段は、
前記記憶装置が、前記操作情報が示す前記縫製装置に対応する前記種類情報を記憶する時、前記操作情報に応じて、前記状況種別に対応する前記所定の情報を前記表示部に表示せず、
前記記憶装置が、前記操作情報が示す前記縫製装置に対応する前記種類情報を記憶しない時、前記操作情報に応じて、前記状況種別に対応する前記所定の情報を前記表示部に表示することを特徴とする請求項２に記載の情報処理装置。
【請求項６】
縫製装置による作業状況の種類を示す状況種別を含む状況情報を送信可能な複数の端末装置と、
請求項１〜５の何れかに記載の情報処理装置と
を備えた情報処理システム。
【請求項７】
縫製装置による作業状況の種類を示す状況種別を含む状況情報を送信可能な複数の端末装置の各々と通信可能な通信部と、互いに異なるＮ個の前記状況種別の各々を、互いに異なる色を示す前記Ｎよりも小さいＭ個の色情報の何れかに割付けた色割付テーブルを記憶する記憶装置と、制御部とを備える情報処理装置の制御部が実行する、複数の前記縫製装置の各々について、前記状況情報を処理する情報処理方法において、
前記複数の端末装置の各々から、前記縫製装置を識別する識別情報と、前記状況情報とを前記通信部を介して受信する受信工程と、
前記状況情報と、前記状況情報を取得した時刻を示す時刻情報とを、前記識別情報に関連付けて前記記憶装置に記憶する記憶制御工程と、
前記色割付テーブルが記憶する前記状況種別と前記色情報との対応の変更を受け付ける受付工程と、
前記受付工程で前記状況種別と前記色情報との対応の変更を受け付けたことに応じて、前記色割付テーブルを更新する更新工程と、
第一表示要求を取得する第一取得工程と、
前記第一取得工程での前記第一表示要求の取得に応じて、前記複数の縫製装置の各々についての最新の前記状況情報を、前記記憶装置の前記色割付テーブルが記憶する前記色情報の色を用いて、第一表示として表示部に表示する第一表示制御工程と、
前記識別情報を含む第二表示要求を取得する第二取得工程と、
前記第二取得工程での前記第二表示要求の取得に応じて、前記第二表示要求が含む前記識別情報に対応する、所定期間内の前記状況情報を前記記憶装置から取得する第三取得工程と、
前記第二取得工程での取得した前記第二表示要求の取得に応じて、前記第三取得工程で取得した前記所定期間内の前記状況情報を、前記色割付テーブルに記憶する前記色情報の色を用いて、第二表示として前記表示部に表示する第二表示制御工程と
を備えることを特徴とする情報処理方法。
【発明の詳細な説明】
【技術分野】
【０００１】
本発明は複数の縫製装置の各々の作業状況を示す状況情報を処理する情報処理装置、情報処理システム、及び情報処理方法に関する。
【背景技術】
【０００２】
複数の装置の作業状況を管理する装置が知られている（例えば、特許文献１参照）。特許文献１に記載の装置は射出成形機を制御する複数の制御端末装置から、射出成形機の運転状況情報を、ネットワークを介して取得する。該装置は装置一覧画面において、運転状況情報に基づき運転状況に応じた背景色で表示する。
【先行技術文献】
【特許文献】
【０００３】
【特許文献１】特開２００４−１６４０２５号公報
【発明の概要】
【発明が解決しようとする課題】
【０００４】
従来の装置は運転状況毎に互いに異なる背景色を割り当てる。管理対象の状況の数が比較的多い時、該装置が運転状況毎に互いに異なる背景色を割り当てると、作業者は色の区別が困難であり、運転状況を把握しにくい。
【０００５】
本発明の目的は管理者が複数の縫製装置の各々の作業状況を容易に把握可能な情報処理装置、情報処理システム、及び情報処理方法を提供することである。
【課題を解決するための手段】
【０００６】
本発明の第一態様の情報処理装置は、縫製装置による作業状況の種類を示す状況種別を含む状況情報を送信可能な複数の端末装置の各々と通信可能な通信部と、互いに異なるＮ個の前記状況種別の各々を、互いに異なる色を示す前記Ｎよりも小さいＭ個の色情報の何れかに割付けた色割付テーブルを記憶する記憶装置と、制御部とを備え、複数の前記縫製装置の各々について、前記状況情報を処理する情報処理装置において、前記制御部は、前記複数の端末装置の各々から、前記縫製装置を識別する識別情報と、前記状況情報とを前記通信部を介して受信する受信手段と、前記状況情報と、前記状況情報を取得した時刻を示す時刻情報とを、前記識別情報に関連付けて前記記憶装置に記憶する記憶制御手段と、前記色割付テーブルが記憶する前記状況種別と前記色情報との対応の変更を受け付ける受付手段と、前記受付手段が前記状況種別と前記色情報との対応の変更を受け付けたことに応じて、前記色割付テーブルを更新する更新手段と、第一表示要求を取得する第一取得手段と、前記第一取得手段が前記第一表示要求を取得したことに応じて、前記複数の縫製装置の各々についての最新の前記状況情報を、前記記憶装置の前記色割付テーブルが記憶する前記色情報の色を用いて、第一表示として表示部に表示する第一表示制御手段と、前記識別情報を含む第二表示要求を取得する第二取得手段と、前記第二取得手段が前記第二表示要求を取得したことに応じて、前記第二表示要求が含む前記識別情報に対応する、所定期間内の前記状況情報を前記記憶装置から取得する第三取得手段と、前記第二取得手段が前記第二表示要求を取得したことに応じて、前記第三取得手段が取得した前記所定期間内の前記状況情報を、前記色割付テーブルに記憶する前記色情報の色を用いて、第二表示として前記表示部に表示する第二表示制御手段として機能する。
【０００７】
第一態様の情報処理装置は、Ｎ個の状況種別の各々をＮよりも小さい対応する色が互いに異なるＭ個の色情報の何れかに対応付けて記憶し、該色情報に応じた色を用いて状況情報を表示部に表示する。第一態様の情報処理装置の管理者は、状況種別の数が比較的多い時でも、状況種別毎に互いに異なる色を割り当てる装置に比べ、表示部が表示する色に基づき複数の縫製装置の作業状況を容易に区別できる。管理者は、色割付テーブルが記憶する状況種別と色情報との対応を変更できる。管理者は例えば注目したい状況種別を他の状況種別に比べ目立つ色に変更することで、注目したい状況種別を容易に見分けることができる。情報処理装置は第一表示要求と第二表示要求とで表示内容を変える。情報処理装置は第一表示要求に因り表示する状況種別と、第二表示要求により表示する状況種別とを同じ色割付テーブルが記憶する色で表示する。管理者は第一表示要求と第二表示要求とで参照する色割付テーブルが異なる装置に比べ、表示部が表示する色に因り状況種別を判別しやすい。
【０００８】
第一態様の情報処理装置の前記記憶装置は互いに異なる前記Ｎ個の状況種別に対応する所定の情報を記憶し、前記制御部は更に、前記表示部が表示する前記第一表示又は前記第二表示において、色で示す状況種別を選択する操作情報を取得する第四取得手段と、前記第四取得手段が取得した前記操作情報に応じて、前記記憶装置が記憶する、前記操作情報が示す前記縫製装置の前記状況種別に対応する前記所定の情報を前記表示部に表示する第三表示制御手段として機能してもよい。該情報処理装置は操作情報を受け付けたことに応じて表示部が示す色の状況種別の説明を表示部に表示できる。作業者は１つの色情報が複数の状況情報に割り付けた時でも、必要に応じて色情報が示す状況情報を容易に確認できる。
【０００９】
第一態様の情報処理装置の前記記憶装置は更に、前記縫製装置の機種を示す機種情報と、機種アイコンを表す第一アイコン情報との対応を記憶し、前記受信手段は、前記複数の端末装置の各々から、前記識別情報と、前記機種情報と、前記状況情報とを前記通信部を介して受信し、前記第一表示制御手段は、前記第一表示として、前記記憶装置が記憶する前記機種情報と前記第一アイコン情報との対応に因り、前記最新の状況情報が示す前記状況種別に応じた色で、前記縫製装置の前記機種情報に対応する前記機種アイコンを前記表示部に表示してもよい。該情報処理装置は複数の縫製装置の各々について状況情報を、状況種別に応じた色の機種アイコンで表示部に表示できる。作業者は表示部が表示する第一表示を確認することで、縫製装置の機種と、縫製装置の作業状況とを容易に把握できる。
【００１０】
第一態様の情報処理装置の前記記憶装置は更に、前記状況種別と、状況アイコンを表す第二アイコン情報との対応を記憶し、前記第一表示制御手段は、前記第一表示として、前記記憶装置が記憶する前記状況種別と前記第二アイコン情報との対応に因り、前記最新の状況情報が示す前記状況種別に応じた色で、前記状況種別に対応する前記状況アイコンを前記表示部に表示してもよい。該情報処理装置は状況種別を状況種別に応じた色の状況アイコンにより表示できる。作業者は状況アイコンと状況アイコンの色とで状況種別を把握できる。
【００１１】
第一態様の情報処理装置の前記記憶装置は更に、前記縫製装置に電気的に接続されていない前記端末装置の種類を特定する種類情報と前記識別情報との対応を記憶し、前記第三表示制御手段は、前記記憶装置が、前記操作情報が示す前記縫製装置に対応する前記種類情報を記憶する時、前記操作情報に応じて、前記状況種別に対応する前記所定の情報を前記表示部に表示せず、前記記憶装置が、前記操作情報が示す前記縫製装置に対応する前記種類情報を記憶しない時、前記操作情報に応じて、前記状況種別に対応する前記所定の情報を前記表示部に表示してもよい。縫製装置と電気的に接続していない端末装置は、縫製装置を操作する作業者が入力する状況種別を情報処理装置に送信する場合がある。該情報処理装置は比較的少ない種類の状況種別のみを送信可能な端末装置を特定の種類とすることで、所定の情報を表示部に表示する処理の時間を短縮できる。
【００１２】
本発明の第二態様の情報処理システムは、縫製装置による作業状況の種類を示す状況種別を含む状況情報を送信可能な複数の端末装置と、第一態様の情報処理装置とを備える。第二態様の情報処理システムは第一態様の情報処理装置と同様の効果を奏する。
【００１３】
本発明の第三態様の情報処理方法は、縫製装置による作業状況の種類を示す状況種別を含む状況情報を送信可能な複数の端末装置の各々と通信可能な通信部と、互いに異なるＮ個の前記状況種別の各々を、互いに異なる色を示す前記Ｎよりも小さいＭ個の色情報の何れかに割付けた色割付テーブルを記憶する記憶装置と、制御部とを備える情報処理装置の制御部が実行する、複数の前記縫製装置の各々について、前記状況情報を処理する情報処理方法において、前記複数の端末装置の各々から、前記縫製装置を識別する識別情報と、前記状況情報とを前記通信部を介して受信する受信工程と、前記状況情報と、前記状況情報を取得した時刻を示す時刻情報とを、前記識別情報に関連付けて前記記憶装置に記憶する記憶制御工程と、前記色割付テーブルが記憶する前記状況種別と前記色情報との対応の変更を受け付ける受付工程と、前記受付工程で前記状況種別と前記色情報との対応の変更を受け付けたことに応じて、前記色割付テーブルを更新する更新工程と、第一表示要求を取得する第一取得工程と、前記第一取得工程での前記第一表示要求の取得に応じて、前記複数の縫製装置の各々についての最新の前記状況情報を、前記記憶装置の前記色割付テーブルが記憶する前記色情報の色を用いて、第一表示として表示部に表示する第一表示制御工程と、前記識別情報を含む第二表示要求を取得する第二取得工程と、前記第二取得工程での前記第二表示要求の取得に応じて、前記第二表示要求が含む前記識別情報に対応する、所定期間内の前記状況情報を前記記憶装置から取得する第三取得工程と、前記第二取得工程での取得した前記第二表示要求の取得に応じて、前記第三取得工程で取得した前記所定期間内の前記状況情報を、前記色割付テーブルに記憶する前記色情報の色を用いて、第二表示として前記表示部に表示する第二表示制御工程とを備える。第三態様の情報処理方法は第一態様の情報処理装置と同様の効果を奏する。
【図面の簡単な説明】
【００１４】
【図１】情報処理システム１のシステム構成、情報処理装置２、縫製装置３、リムーバブルメディア５、及び端末装置１０の電気的構成を示すブロック図。
【図２】記憶部２４が記憶するテーブル９の説明図。
【図３】記憶部２４が記憶する機種アイコン記憶エリア２４１、状況アイコン記憶エリア２４２、及び装置設定記憶エリア２４３の説明図。
【図４】ＬＣＤ２７が表示する管理画面６０の説明図。
【図５】状況情報取得処理の流れ図。
【図６】リムーバブルメディア５が送信するテキスト形式の状況情報を、記憶部２４が記憶するログファイル記憶エリア２４４に記憶する処理の説明図。
【図７】応答処理の流れ図。
【図８】図７の応答処理で実行する作業状況表示処理の流れ図。
【図９】第一表示を示す第一表示画面８０の説明図。
【図１０】図７の応答処理で実行する特定装置表示処理の流れ図。
【図１１】第二表示を示す第二表示画面８５の説明図。
【図１２】図７の応答処理で実行する詳細状況表示処理の流れ図。
【図１３】第三表示を示す第三表示画面９０の説明図。
【図１４】図７の応答処理で実行する設定変更処理の流れ図。
【図１５】設定変更後のテーブル９と、設定変更後の第一表示を示す変更済画面９５の説明図。
【発明を実施するための形態】
【００１５】
図１を参照し、情報処理システム１の概要について説明する。情報処理システム１は、情報処理装置２、縫製装置３Ａ、３Ｂ、３Ｃ、３Ｄ等（以下、総称して「縫製装置３」という。）、ＰＣ６、アクセスポイント７、及び端末装置１０を備える。情報処理装置２、ＰＣ６、及びアクセスポイント７は、ＬＡＮ、ＷＡＮ等のネットワーク８に接続する。縫製装置３及び端末装置１０は、アクセスポイント７を介してネットワーク８に無線で接続する。情報処理装置２、縫製装置３、ＰＣ６、及び端末装置１０は、ネットワーク８を介して通信可能である。情報処理システム１は、複数の縫製装置３の各々の、作業状況の種類を示す状況種別を含む状況情報を情報処理装置２にて管理する。
【００１６】
情報処理装置２の電気的構成について説明する。情報処理装置２は、汎用のパーソナルコンピュータである。情報処理装置２は、情報処理装置２を制御するＣＰＵ２１を備える。ＣＰＵ２１は、ＲＯＭ２２、ＲＡＭ２３、記憶部２４、通信Ｉ／Ｆ２５、液晶表示装置（ＬＣＤ）２７、操作部２８、及びドライブ装置２９と、非図示のインタフェース回路を介して電気的に接続する。ＲＯＭ２２は、ブートプログラム、ＢＩＯＳ等を記憶する。ＲＡＭ２３は、タイマ、カウンタ、フラグデータ、及び一時的なデータ等を記憶する。記憶部２４はハードディスク等の不揮発性の記憶媒体である。記憶部２４は、ＣＰＵ２１が実行する処理のプログラム、ＯＳ、各種テーブルを記憶する。
【００１７】
通信Ｉ／Ｆ２５は、情報処理装置２がネットワーク８に有線接続する為のインタフェース（例えば、ＬＡＮカード等）である。但し、アクセスポイント７と接続して無線接続する為のインタフェース（例えば、Ｗｉ−Ｆｉ（登録商標）通信モジュール等）が、通信Ｉ／Ｆ２５として用いられてもよい。ＣＰＵ２１は、通信Ｉ／Ｆ２５を介してネットワーク８に接続する他の機器とデータの送受信を行う。ＣＰＵ２１は、記憶媒体３０に記憶されたプログラムをドライブ装置２９によって読み出し、記憶部２４に記憶できる。ＬＣＤ２７は、各種情報を表示できる。操作部２８は、キーボード、マウス等を含む。ドライブ装置２９は、半導体メモリ、光ディスク等の記憶媒体３０に記憶された情報を読み出すことができる。
【００１８】
縫製装置３の電気的構成について説明する。縫製装置３は、縫製装置３を制御するＣＰＵ３１を備える。ＣＰＵ３１は、ＲＯＭ３２、ＲＡＭ３３、記憶部３４、駆動回路３５、ＬＣＤ３７、操作部３８、及びＵＳＢ  Ｉ／Ｆ３９と、非図示のインタフェース回路を介して電気的に接続する。ＲＯＭ３２は、ブートプログラム等を記憶する。ＲＡＭ３３は、タイマ、カウンタ、フラグデータ、一時的なデータ、及び各種テーブル等を記憶する。記憶部３４は、フラッシュメモリ等の不揮発性の記憶媒体である。記憶部３４は、ＣＰＵ３１が実行する処理のプログラム、及び各種テーブル等を記憶する。縫製装置３は、上記全ての電気的構成を内蔵していなくてもよい。例えば、上記の電気的構成の一部は、非図示のインタフェースを介して縫製装置３外部に接続してもよい。この場合、縫製装置３内部に設けられた電気的構成を制御する為のＣＰＵ、ＲＯＭ、ＲＡＭと、縫製装置３外部に設けられた電気的構成を制御する為のＣＰＵ、ＲＯＭ、ＲＡＭとが、個別に設けられてもよい。
【００１９】
駆動回路３５は、ＣＰＵ３１が出力する信号に応じて上軸モータ３６Ａ及び布送りモータ３６Ｂを駆動し、加工布を縫製する。上軸モータ３６Ａは、非図示の針棒に接続した縫針を上下に往復移動する。布送りモータ３６Ｂは、非図示の布送り機構を前後方向に移動する。ＬＣＤ３７は、縫製に関する各種情報を表示できる。操作部３８は、非図示のペダル、操作キー、タッチパネル等を含む。ＵＳＢ  Ｉ／Ｆ３９は、ＵＳＢを介して縫製装置３に機器を接続する為のインタフェースである。ＣＰＵ３１は、ＵＳＢを介して接続された機器との間でＵＳＢ  Ｉ／Ｆ３９を介してデータを送受信する。
【００２０】
リムーバブルメディア５は、ＵＳＢを介して縫製装置３に接続する。リムーバブルメディア５は、通信デバイス５１、記憶部５２、及び制御部５３を有する。通信デバイス５１は、アクセスポイント７と接続して無線通信を行う為のインタフェース（例えば、Ｗｉ−Ｆｉ（登録商標）通信モジュール等）である。ＣＰＵ３１は、リムーバブルメディア５が縫製装置３に接続された状態で、記憶部５２を読み出し及び書き込みが可能な記憶媒体として認識する。記憶部５２は、送信領域を備える。縫製装置３のＣＰＵ３１は状況種別を示すコードを記憶部３４に書き込む。ＣＰＵ３１は、記憶部３４に保存されたコードを、所定のタイミング（例えば、１分間隔）で、記憶部５２の送信領域に書き込み、記憶部３４に保存されたコードを削除する。制御部５３は、記憶部５２の送信領域にコードが保存されたことに応じて、通信デバイス５１を介してコードを送信し、送信領域のコードを削除する。リムーバブルメディア５の制御部５３は、所定のタイミングで電気的に接続した縫製装置３の状況情報を通信デバイス５１を介して所定のプロトコル（例えば、ＨＴＴＰ）によって情報処理装置２に送信する。本例の制御部５３は、所定時間毎に送信領域が記憶する状況情報を情報処理装置２に送信する。制御部５３は、情報処理装置２に送信する状況情報のファイル名を「機種名＿製造番号＿データ番号．ｔｘｔ」と設定する。機種名、製造番号は記憶部３４が記憶する情報に基づきＣＰＵ３１が記憶部５２に書き込んだデータである。データ番号は状況情報の送信順序を表す数字である。該データ番号に因り、ファイルを受信した情報処理装置２はファイルの送信順序及び送信時刻を予測できる。
【００２１】
端末装置１０は、通信デバイス５５、記憶部５６、制御部５７及び入力部５８を有する。端末装置１０は、縫製装置３に電気的に接続しない。通信デバイス５５は、アクセスポイント７と接続して無線通信を行う為のインタフェース（例えば、Ｗｉ−Ｆｉ通信モジュール等）である。記憶部５６は制御部５３が実行するプログラム等を記憶する。制御部５７は、通信デバイス５５及び記憶部５６を用いた通信制御を実行する。入力部５８は作業者から縫製装置３の状況情報の入力を受け付ける。端末装置１０の制御部５７は、所定のタイミングで対応する縫製装置３の状況情報を通信デバイス５５を介して所定のプロトコル（例えば、ＨＴＴＰ）によって情報処理装置２に送信する。本例の制御部５７は、状況情報を受け付けたことに応じて該状況情報を情報処理装置２に送信する。制御部５７は、情報処理装置２に送信する状況情報のファイル名を「機種名＿製造番号＿データ番号．ｔｘｔ」と設定する。機種名、製造番号は記憶部５６が記憶する端末装置１０の情報である。データ番号は状況情報の送信順序を表す数字である。該データ番号に因り、ファイルを受信した情報処理装置２はファイルの送信順序及び送信時刻を予測できる。
【００２２】
図２を参照し、記憶部２４が記憶するテーブル９を説明する。テーブル９は、コード、説明、色情報、及び状況アイコンＩＤを関連づけて記憶する。コードは、縫製装置３による作業状況の種類を示す状況種別を示す、アルファベットと数字を組み合わせた文字列である。説明はコードが示す縫製装置３の状況種別を示す。例えば、コードがＸ０３である時、縫製装置３の作業状況は縫製中である。色情報は、コードに割り当てた色である。情報処理装置２のＣＰＵ２１は複数の縫製装置３の各々の作業状況をＬＣＤ２７に表示する時に、色情報に従い色分けして作業状況を表示する。テーブル９は、縫製装置３の互いに異なるＮ個の状況種別の各々を、互いに異なる色を示すＮよりも小さいＭ個の色情報の何れかに割付けて記憶する。本例のテーブル９の状況種別の数は２００であり、色情報数の最大値は１２である。Ｎ、ＭはＭがＮよりも小さい範囲で適宜変更してよい。状況アイコンＩＤは、状況種別と対応付ける図柄の識別子である。
【００２３】
図３を参照し、記憶部２４が備える機種アイコン記憶エリア２４１、状況アイコン記憶エリア２４２、及び装置設定記憶エリア２４３を説明する。機種アイコン記憶エリア２４１は、縫製装置３又は端末装置１０の機種とアイコン（機種アイコン）との対応を記憶する。本例の機種アイコンは、アイコン７１〜７３を含み、縫製装置３又は端末装置１０の機種毎の外観を表す図柄である。機種アイコン記憶エリア２４１は、アイコン７１〜７３の各々について、Ｍ個の色情報に対応するＭ色のアイコンを予め記憶する。状況アイコン記憶エリア２４２は状況アイコンを識別する為のＩＤと、状況アイコンとの対応を記憶する。状況アイコンは、アイコン７４〜７５を含み、テーブル９においてコードと対応付け可能なアイコンである。状況アイコン記憶エリア２４２は、アイコン７４〜７５の各々について、Ｍ個の色情報に対応するＭ色のアイコンを予め記憶する。状況アイコンは、外部機器から取得した図柄でもよい。装置設定記憶エリア２４３は、縫製装置３毎に、登録番号、装置名、機種名、製造番号及びコードを記憶する。ＣＰＵ２１は機種名と製造番号を縫製装置３から受信した状況情報のファイル名から特定し、装置設定記憶エリア２４３に記憶する。故に、本例の装置設定記憶エリア２４３は、状況情報を端末装置１０が送信する時、端末装置１０の機種名と製造番号とを記憶し、状況情報をリムーバブルメディア５が送信する時、縫製装置３の機種名と製造番号とを記憶する。端末装置１０は対応する縫製装置３の機種名と製造番号を含む状況情報を情報処理装置２に送信してもよい。
【００２４】
管理者は装置設定記憶エリア２４３が記憶する情報を図４に示す管理画面６０にて確認、編集できる。ＣＰＵ２１は管理者が画面右上の管理者メニュー７０の内の所定の一つを選択した時に管理画面６０を表示する。情報処理装置２に登録した縫製装置３の各々の工場６１、ライン６２、機種６３、製造番号６４、装置名６５、説明６６、編集キー６７を表示する。工場６１とライン６２は縫製装置３を設置する工場名とライン名を示す。機種６３は縫製装置３の機種を識別する機種名を示す。製造番号６４は縫製装置３に固有の製造番号を示す。情報処理装置２は機種６３と製造番号６４を縫製装置３が通知する情報に因り設定する。装置名６５は他の装置と区別する為の名称を示す。本例の情報処理装置２は、該縫製装置３を表す装置名の初期値として製造番号を自動的に設定する。説明６６はユーザが縫製装置３に関して追加した情報を示す。ユーザは編集キー６７を選択することで情報処理装置２が設定した装置名６５と説明６６を適宜変更できる。管理者は、検索欄６８を用いて所定条件を満たす縫製装置３を検索できる。
【００２５】
情報処理装置２が実行する状況情報取得処理と応答処理を順に説明する。図５を参照し状況情報取得処理を説明する。情報処理装置２の起動時、ＣＰＵ２１はＲＯＭ２２又は記憶部２４からプログラムを読み出し、プログラムが含む指示に従い状況情報取得処理を実行する。図５に示す如く状況情報取得処理ではＣＰＵ２１は状況情報を受信したかを判断する（Ｓ１）。本例のＣＰＵ２１はテキストファイル受信時に状況情報を受信したと判断する。ＣＰＵ２１は状況情報を受信した時（Ｓ１：ＹＥＳ）、受信した状況情報に因り、装置設定記憶エリア２４３が記憶するコードを更新する（Ｓ２）。テキストファイルに複数のコードが含まれる場合、ＣＰＵ２１は、複数のコードのうち、最後尾（即ち、最新）のコードを用いて、装置設定記憶エリア２４３を更新する。図６に示す如く、ＣＰＵ２１は該状況情報と、状況情報を取得した時刻を示す時刻情報とを、識別情報に関連付けて記憶部２４の記憶部２４のログファイル記憶エリア２４４に記憶する（Ｓ３）。状況情報を取得した時刻を示す時刻情報は、例えば、情報処理装置２が状況情報を受信した時刻である。識別情報は、装置を他の装置と識別可能な情報であればよく、本例では製造番号である。識別情報は例えば装置名等の製造番号以外の情報であってもよい。ＣＰＵ２１はＳ１で受信したテキストファイルを状況情報を含むログファイルとしてログファイル記憶エリア２４４に記憶する。ＣＰＵ２１は、状況情報を受信していない時（Ｓ１：ＮＯ）、又はＳ３の処理の次に、表示更新時期かを判断する（Ｓ４）。本例のＣＰＵ２１は前回表示更新後、所定時間（例えば６０秒）経過時に表示更新時期であると判断する。更新頻度を定める所定時間は管理者が設定できてもよいし、ＣＰＵ２１が自動で設定（例えば、初期値）してもよい。表示更新時期ではない時（Ｓ４：ＮＯ）、ＣＰＵ２１は処理をＳ１に戻す。表示更新時期である時（Ｓ４：ＹＥＳ）、ＣＰＵ２１はＬＣＤ２７が表示する状況情報を最新の情報に更新する（Ｓ５）。ＣＰＵ２１は処理をＳ１に戻す。ＣＰＵ２１は、情報処理装置２０の電源をＯＦＦにする指示を取得した時に状況情報取得処理を終了する。
【００２６】
図７を参照し応答処理を説明する。情報処理装置２が起動すると、ＣＰＵ２１はＲＯＭ２２からプログラムを読み出し、プログラムが含む指示に従い応答処理を実行する。図７に示す如く、ＣＰＵ２１は要求を取得したか否かを判断する（Ｓ１１）。管理者は各種要求を操作部２８を操作することで情報処理装置２に入力できる。ＣＰＵ２１は要求を取得していない時（Ｓ１１：ＮＯ）、処理をＳ１１に戻す。ＣＰＵ２１は要求を取得した時（Ｓ１１：ＹＥＳ）、Ｓ１１の処理で取得した要求が作業状況表示であるかを判断する（Ｓ１２）。作業状況表示（第一表示要求）は、複数の縫製装置３の各々についての最新の状況情報を、テーブル９が記憶する色情報の色を用いて、第一表示としてＬＣＤ２７に表示する要求である。要求が生産状況表示である時（Ｓ１２：ＹＥＳ）、ＣＰＵ２１は後述の作業状況表示処理を実行し（Ｓ１７）、処理をＳ１１に戻す。要求が作業状況表示でない時（Ｓ１２：ＮＯ）、ＣＰＵ２１は要求が特定装置表示であるかを判断する（Ｓ１３）。特定装置表示（第二表示要求）は、複数の縫製装置３の内、要求が含む識別情報で特定される装置における所定期間の状況情報を、テーブル９が記憶する色情報の色を用いて、第二表示としてＬＣＤ２７に表示する要求である。
【００２７】
要求が特定装置表示である時（Ｓ１３：ＹＥＳ）、ＣＰＵ２１は、後述の特定装置表示処理を実行し（Ｓ１８）、処理をＳ１１に戻す。要求が特定装置表示でない時（Ｓ１３：ＮＯ）、ＣＰＵ２１は、要求が詳細状況表示であるかを判断する（Ｓ１４）。詳細状況表示は状況種別に対応する所定の情報をＬＣＤ２７に表示する要求である。要求が詳細状況表示である時（Ｓ１４：ＹＥＳ）、ＣＰＵ２１は、後述の詳細状況表示処理を実行し（Ｓ１９）、処理をＳ１１に戻す。要求が詳細状況表示でない時（Ｓ１４：ＮＯ）、ＣＰＵ２１は要求が設定変更であるかを判断する（Ｓ１５）。設定変更は、テーブル９が記憶する状況種別と色情報との対応の変更する要求である。ＣＰＵ２１は要求が設定変更である時（Ｓ１５：ＹＥＳ）、後述の設定変更処理を実行し（Ｓ２０）、処理をＳ１１に戻す。要求が設定変更でない時（Ｓ１５：ＮＯ）、ＣＰＵ２１は要求の種類に応じた他の処理を実行し（Ｓ１６）、処理をＳ１１に戻す。
【００２８】
管理者は画面右上の管理者メニュー７０の内の所定の一つを選択することで、作業状況表示要求を入力できる。作業状況表示要求を取得した時（Ｓ１１：ＹＥＳ、Ｓ１２：ＹＥＳ）、ＣＰＵ２１は図８の作業状況表示処理を実行する。図８に示す如く、ＣＰＵ２１は変数Ｎに１を設定する（Ｓ２１）。変数Ｎは表示対象となる装置（縫製装置３又は端末装置１０）を順に特定する為の変数である。記憶部２４の装置設定記憶エリア２４３は縫製装置３又は端末装置１０の登録番号を記憶する。ＣＰＵ２１は表示対象の装置を登録番号順に読み出す。ＣＰＵ２１は装置設定記憶エリア２４３を参照しＮ番目の装置（縫製装置３又は端末装置１０）に対応する状況種別を取得する（Ｓ２３）。本例のＣＰＵ２１はＮ番目の装置の状況種別としてコードを取得する。ＣＰＵ２１は、Ｎ番目の装置の機種アイコンＡ（Ｎ）を取得する（Ｓ２４）。ＣＰＵ２１は装置設定記憶エリア２４３を参照し、Ｎ番目の装置の機種名を特定する。ＣＰＵ２１は、機種アイコン記憶エリア２４１を参照し、特定した機種名の、状況種別に対応する色の機種アイコンを取得する。テーブル９が、Ｓ２３で取得したコードに対応する状況アイコンのＩＤを記憶する時、ＣＰＵ２１は、状況アイコン記憶エリア２４２を参照し、該ＩＤに対応する、状況種別に対応する色の状況アイコンを取得する。
【００２９】
ＣＰＵ２１は、装置設定記憶エリア２４３を参照し、Ｎ番目の装置の装置名Ｂ（Ｎ）を取得する（Ｓ２５）。ＣＰＵ２１は、変数Ｎが最後の登録順序であるかを判断する（Ｓ２６）。変数Ｎが最後の登録順序でない時（Ｓ２６：ＮＯ）、ＣＰＵ２１は変数Ｎを１だけ加算して（Ｓ３０）、処理をＳ２３に戻す。変数Ｎが最後の登録順序である時（Ｓ２６：ＹＥＳ）、ＣＰＵ２１は複数の縫製装置３の各々についての最新の状況情報を、テーブル９が記憶する色情報の色を用いて、第一表示としてＬＣＤ２７に表示する（Ｓ３１）。ＣＰＵ２１はＳ２４で取得した機種アイコンをＳ２３で取得したコードに応じた色情報の色でＬＣＤ２７に表示する。ＣＰＵ２１はコードに対応する状況アイコンを取得した時、該状況アイコンを機種アイコンに対して所定位置（例えば、右上）に配置して表示する。ＣＰＵ２１はＳ２５で取得した装置名を機種アイコンに対して所定位置（例えば、右）に配置して表示する。
【００３０】
例えば、ＣＰＵ２１は図９の第一表示画面８０をＬＣＤ２７に表示する。第一表示画面８０において、装置名がＭ００１−１である縫製装置３の状況種別を示すコードはＸ０３であり、機種名はＭ００１である（図３参照）。コードＸ０３に対応する色情報は青色である。機種名Ｍ００１に対応する機種アイコンはアイコン７１である。故にＣＰＵ２１は装置名Ｍ００１−１の縫製装置３の作業状況を、図中斜線で示す青色のアイコン７１で表す。同様に、ＣＰＵ２１は、装置名Ｍ００１−２、及びＭ００１−４の縫製装置３の作業状況を、青色のアイコン７１で表す。ＣＰＵ２１は、装置名Ｍ００１−３の縫製装置３の作業状況を、図中縦線の網掛けで示す緑色のアイコン７１で表す。ＣＰＵ２１は、装置名Ｍ００２−１の縫製装置３の作業状況を、青色のアイコン７２で表す。ＣＰＵ２１は、装置名ＳＡ０１−１の端末装置１０に対応する縫製装置３の作業状況を、図中点の網掛けで示す灰色のアイコン７３で表す。
【００３１】
装置名「Ｍ００１−５」の縫製装置３の作業状況を示すコードはＸ０８であり、機種名はＭ００１である。コードＸ０８に対応する色情報は赤色である。コードＸ０８はアイコンＩＤ００１が対応する。機種名Ｍ００１に対応する機種アイコンはアイコン７１である。故にＣＰＵ２１は装置名「Ｍ００１−５」の縫製装置３の作業状況を、図中黒色で示す赤色のアイコン７１とアイコン７４とで表す。アイコン７４は、アイコン７１の右上且つ前面に配置する。同様に、ＣＰＵ２１は装置名「Ｍ００２−２」の縫製装置３の作業状況を、灰色のアイコン７２とアイコン７６とで表す。ＣＰＵ２１は以上で作業状況表示処理を終了し、処理を図７の応答処理に戻す。ＣＰＵ２１はＳ３１で表示した第一表示を、図５のＳ５の処理で所定時間毎に更新する。
【００３２】
管理者は第一表示画面８０で特定の装置のアイコン又は装置名を選択することで、特定装置表示要求を入力できる。現在時刻が１４時である時に装置名がＭ００１−５である縫製装置３についての特定装置表示要求を取得した時（Ｓ１１：ＹＥＳ、Ｓ１２：ＮＯ、Ｓ１３：ＹＥＳ）、ＣＰＵ２１は図１０の特定装置表示処理を実行する。図１０に示す如く、ＣＰＵ２１は図６のログファイル記憶エリア２４４を参照し特定装置表示要求が含む識別情報で示す装置の所定期間内のログファイルを取得する（Ｓ４１）。本例の所定期間は現在時刻を終了時刻とする２４時間の期間である。具体例のＣＰＵ２１は、昨日の１４時から本日の１４時までのログファイルを、識別情報で示す装置に関して取得する。ＣＰＵ２１は変数Ｋに１を設定する（Ｓ４２）。変数ＫはＳ４２で取得したログファイルを時刻順に取得する為の変数である。ＣＰＵ２１はＫ番目のログファイルからコードを取得する（Ｓ４３）。ＣＰＵ２１は例えば、図６のＭ００１＿Ｃ００５＿１．ｔｘｔで示すログファイルからコードＸ０１を取得する。ＣＰＵ２１は、テーブル９を参照して、Ｓ４３の処理で取得したコードに対応する色情報Ｃ（Ｋ）を取得する（Ｓ４４）。ＣＰＵ２１は例えばコードＸ０１に対応する色情報として青色を取得する。一つのログファイルが複数のコードを含む時、ＣＰＵ２１は一行目から最終行までの全コードを取得し（Ｓ４３）、各コードの色情報を取得する（Ｓ４４）。ＣＰＵ２１は、Ｋ番目のログファイルがＳ４１で取得したログファイルの内最後のログファイルであるかを判断する（Ｓ４５）。Ｋ番目のログファイルが最後のログファイルではない時（Ｓ４５：ＮＯ）、ＣＰＵ２１は変数Ｋを１だけ加算し（Ｓ４６）、処理をＳ４３に戻す。
【００３３】
Ｋ番目のログファイルが最後のログファイルである時（Ｓ４５：ＹＥＳ）、ＣＰＵ２１は、所定期間内の状況情報を、テーブル９に記憶する色情報の色を用いて、第二表示としてＬＣＤ２７に表示する（Ｓ４７）。ＣＰＵ２１はＳ４４で取得したコードに応じた色情報の色で直近の一時間の作業状況の推移と、直近の二十四時間の作業状況の比率とを表すグラフをＬＣＤ２７に表示する。ＣＰＵ２１は例えば図１１の第二表示画面８５をＬＣＤ２７が表示する第一表示画面８０の前面に表示する。第二表示画面８５は、欄８６、グラフ８７、８８と、閉じるキー８９を含む。欄８６は、特定装置表示要求が含む識別情報に対応する装置の情報を表示する。欄８６は第一表示画面８０と同様の機種アイコン及び状況アイコンと装置名を表示する。グラフ８７は、欄８６が示す装置の、直近の一時間の作業状況の推移を示す横棒グラフである。グラフ８７の横軸は時刻を示す。ＣＰＵ２１は管理者がグラフ８７を横にスクロール（ドラッグして移動）する指示を入力した時、直近１時間よりも前の作業状況の推移を表示可能である。グラフ８８は、欄８６が示す装置の、直近の二十四時間の作業状況の比率を示す円グラフである。グラフ８８は、直近の二十四時間の作業状況の推移を示すグラフであってもよい。管理者はグラフ８７、８８を参照し、装置名Ｍ００１−５の縫製装置３は１３時５６分頃までは青色で示す作業状況であり、１３時５６分頃から赤色で示す作業状況になったことを把握できる。閉じるキー８９は、第二表示画面８５を閉じることを要求するキーである。管理者が閉じるキー８９を選択すると、非図示の処理によって、ＣＰＵ２１は第二表示画面８５を閉じ第一表示画面８０を表示する。ＣＰＵ２１は、以上で特定装置表示処理を終了し、処理を図７の応答処理に戻す。
【００３４】
管理者は第一表示画面８０で特定の装置のアイコンにカーソルを重ねることで、詳細状況表示要求を入力できる。管理者は第二表示画面８５でグラフ中の特定の色の部分にカーソルを重ねることで、詳細状況表示要求を入力できる。ＣＰＵ２１は別途実行する処理によって、操作部２８が入力する指示に応じてＬＣＤ２７上のカーソルの位置を変更する。Ｍ００１−２である縫製装置３のアイコンにカーソルを配置した操作情報を取得した時に、ＣＰＵ２１は詳細状況表示要求を取得したと判断し（Ｓ１１：ＹＥＳ、Ｓ１２：ＮＯ、Ｓ１３：ＮＯ、Ｓ１４：ＹＥＳ）、図１２の詳細状況表示処理を実行する。図１２に示す如く、ＣＰＵ２１は、表示中の画面を表示する為の要求を記憶した後、装置設定記憶エリア２４３を参照し、取得した操作情報に因りカーソルで示す装置が特定装置か否かを判断する（Ｓ５１）。ＣＰＵ２１は装置の種類が縫製装置３に電気的に接続されない端末装置１０である装置を特定装置とする。本例のＣＰＵ２１は装置設定記憶エリア２４３が記憶する機種名がＳＡ０１である場合に特定装置と判断する。カーソルで示す装置が特定装置である時（Ｓ５１：ＹＥＳ）、ＣＰＵ２１は後述のＳ５３の処理を実行することなく以上で詳細状況表示処理を終了する。ＣＰＵ２１は、特定装置に関する第二表示中は、詳細状況表示要求を取得しなくてもよい。
【００３５】
カーソルで示す装置が特定装置ではない時（Ｓ５１：ＮＯ）、ＣＰＵ２１は、カーソルで示す装置の状況種別を取得する（Ｓ５１）。ＣＰＵ２１は、装置名がＭ００１−２である縫製装置３の状況種別としてコードＸ０２を取得する。ＣＰＵ２１は、テーブル９を参照し、Ｓ５１で取得した状況種別の内容をカーソルの近傍に表示する（Ｓ５３）。ＣＰＵ２１は例えば図１２の第三表示画面９０をＬＣＤ２７に表示する。第三表示画面９０に示す如く、ＣＰＵ２１はカーソル９１の近傍にＳ５１で取得したコードＸ０２に対応する内容「縫製待ち中」を表示する。ＣＰＵ２１は、表示終了か否かを判断する（Ｓ５４）。カーソルが特定の装置のアイコンに重ならなくなった時、ＣＰＵ２１は表示終了と判断する。ＣＰＵ２１は、Ｓ５２で表示を開始してから所定時間経過後に表示終了と判断してもよい。ＣＰＵ２１は、表示終了まで待機する（Ｓ５４：ＮＯ）。ＣＰＵ２１は表示終了と判断する時（Ｓ５４：ＹＥＳ）、Ｓ５３で開始した表示を終了する（Ｓ５５）。ＣＰＵ２１は、以上で詳細状況表示処理を終了し、処理を図７の応答処理に戻す。
【００３６】
管理者は非図示の設定変更画面から、テーブル９が記憶するコードと色情報との対応を変更することを要求する設定変更要求を入力できる。管理者はテーブル９が記憶するコードと状況アイコンとの対応を変更することを要求する設定変更要求を入力できる。設定変更要求を取得した時（Ｓ１１：ＹＥＳ、Ｓ１２：ＮＯ、Ｓ１３：ＮＯ、Ｓ１４：ＮＯ、Ｓ１５：ＹＥＳ）、ＣＰＵ２１はテーブル９を更新する（Ｓ６１）。ＣＰＵ２１は、例えば、取得した設定変更要求に応じて図１５のテーブル９に示すように、コードＸ０８に対応する色情報と状況アイコンＩＤを変更し、コードＸ１９に対応する色情報を変更する。
【００３７】
ＣＰＵ２１は、設定変更要求を取得した時、Ｓ５１で記憶した要求に因り、作業状況表示中であったかを判断する（Ｓ６２）。作業状況表示中である時（Ｓ６２：ＹＥＳ）、図８に示す作業状況表示処理を実行する（Ｓ６３）。ＣＰＵ２１は、図８のＳ３１の処理で図１５の変更済画面９５をＬＣＤ２７に表示する。変更済画面９５に示す様に、図９の第一表示画面８０と異なり、ＣＰＵ２１は装置名がＭ００１−３である装置の機種アイコン７１の色を、図中斜めの格子状の網掛けで示す桃色で表示し、アイコン７１の右上前面にアイコン７５を表示する。ＣＰＵ２１は装置名がＭ００１−５である装置の機種アイコン７１の色を、図中格子状の網掛けで示す橙色で表示する。作業状況表示中ではない時（Ｓ６２：ＹＥＳ）、ＣＰＵ２１は図１０の特定装置表示処理を実行する（Ｓ６４）。Ｓ６３又はＳ６４の処理の次に、ＣＰＵ２１は以上で設定変更処理を終了し、処理を図７の応答処理に戻す。
【００３８】
縫製装置３、情報処理装置２、通信Ｉ／Ｆ２５、記憶部２４、ＣＰＵ２１は各々、本発明の縫製装置、情報処理装置、通信部、記憶装置、制御部の一例である。端末装置１０とリムーバブルメディアは本発明の端末装置の一例である。図５のＳ１の処理を実行するＣＰＵ２１は、本発明の受信手段の一例である。Ｓ１の処理は、本発明の受信工程の一例である。Ｓ３の処理を実行するＣＰＵ２１は、本発明の記憶制御手段の一例である。Ｓ３の処理は、本発明の記憶制御工程の一例である。Ｓ１１、Ｓ１５の処理を実行するＣＰＵ２１は、本発明の受付手段の一例である。Ｓ１１、Ｓ１５の処理は、本発明の受付工程の一例である。図１４のＳ６１を実行するＣＰＵ２１は本発明の更新手段の一例である。Ｓ６１の処理は本発明の更新工程の一例である。Ｓ１１、Ｓ１２の処理を実行するＣＰＵ２１は、本発明の第一取得手段の一例である。Ｓ１１、Ｓ１２の処理は、本発明の第一取得工程の一例である。Ｓ１７の処理を実行するＣＰＵ２１は、本発明の第一表示制御手段の一例である。Ｓ１７の処理は、本発明の第一表示制御工程の一例である。Ｓ１１、Ｓ１３の処理を実行するＣＰＵ２１は、本発明の第二取得手段の一例である。Ｓ１１、Ｓ１３の処理は、本発明の第二取得工程の一例である。図１０のＳ４１の処理を実行するＣＰＵ２１は、本発明の第三取得手段の一例である。Ｓ４１の処理は、本発明の第三取得工程の一例である。Ｓ４７の処理を実行するＣＰＵ２１は、本発明の第二表示制御手段の一例である。Ｓ４７の処理は本発明の第二表示制御工程の一例である。Ｓ１１、Ｓ１４の処理を実行するＣＰＵ２１は、本発明の第四取得手段の一例である。Ｓ１９の処理を実行するＣＰＵ２１は、本発明の第三表示制御手段の一例である。
【００３９】
情報処理システム１の情報処理装置２は、Ｎ個の状況種別の各々をＮよりも小さい対応する色が互いに異なるＭ個の色情報の何れかに対応付けて、テーブル９に記憶する。情報処理装置２の管理者は、状況種別の数が比較的多い時でも、状況種別毎に互いに異なる色を割り当てる従来の装置に比べ、ＬＣＤ２７が表示する色に基づき複数の縫製装置３の作業状況を容易に区別できる。図１４の設定変更処理に示す如く、管理者は、テーブル９が記憶する状況種別と色情報との対応を変更できる。管理者は例えば注目したい状況種別を他の状況種別に比べ目立つ色に変更することで、注目したい状況種別を容易に見分けることができる。例えば、コードＸ０８で示す状況種別が管理者読み出し中である時、他のエラーとは異なり管理者を呼び出す必要がある。管理者は他のエラーと区別可能な態様でコードＸ０８の状況種別を表示したい。該時、管理者は、図１５に例示するように、コードＸ０８と対応付ける色情報を、他のエラーと違う情報とすることで、注目したいコードＸ０８の状況種別を容易に見分けることができる。情報処理装置２は作業状況表示要求（第一表示要求）と特定装置表示要求（第二表示要求）とでＬＣＤ２７に表示する表示内容を変える。情報処理装置２は作業状況表示要求に因り表示する状況種別と、特定装置表示要求に因り表示する状況種別とを同じテーブル９が記憶する色情報の色で表示する。管理者は要求毎に情報処理装置２が参照するテーブル９が異なる装置に比べ、ＬＣＤ２７が表示する色に因り状況種別を判別しやすい。
【００４０】
情報処理装置２の記憶部２４のテーブル９は互いに異なるＮ個の状況種別に対応する所定の情報として内容を記憶する。図７の応答処理で、ＣＰＵ２１はＬＣＤ２７が表示する第一表示又は第二表示において、色で示す状況種別を選択する操作情報に因る詳細状況表示要求を取得する（Ｓ１１：ＹＥＳ、Ｓ１２：ＮＯ、Ｓ１３：ＮＯ、Ｓ１４：ＹＥＳ）。ＣＰＵ２１は取得した操作情報に応じて、記憶装置が記憶する、操作情報が示す縫製装置の状況種別に対応する所定の情報をＬＣＤ２７に表示する（Ｓ５２）。情報処理装置２は操作情報を受け付けたことに応じてＬＣＤ２７が示す色の状況種別の説明を第三表示としてＬＣＤ２７に表示できる。図３に示す如く、１つの色情報（例えば、青色）が複数の状況種別（コード）に割り付けた時でも、図１３の第三表示画面９０に示す如く、カーソル９１を機種アイコンに重ねることで、必要に応じて色情報が示す状況情報を容易に確認できる。
【００４１】
図３の機種アイコン記憶エリア２４１に示す如く、情報処理装置２の記憶部２４は更に、縫製装置３の機種を示す機種情報と、機種アイコンを表すアイコン情報との対応を記憶する。ＣＰＵ２１は、リムーバブルメディア５及び端末装置１０の各々から、識別情報と、機種情報と、状況情報とを通信Ｉ／Ｆ２５を介して受信する。図９の第一表示画面８０に示す如く、ＣＰＵ２１は第一表示として、記憶部２４が記憶する機種情報と第一アイコン情報との対応に因り、最新の状況情報が示す状況種別に応じた色で、縫製装置３の機種情報に対応する機種アイコンをＬＣＤ２７に表示する。情報処理装置２は複数の縫製装置３の各々の状況情報を、状況情報に応じた色の機種アイコンでＬＣＤ２７に表示できる。管理者はＬＣＤ２７が表示する第一表示を確認することで、縫製装置３の機種と、縫製装置３の作業状況とを同一の第一表示画面８０で容易に把握できる。
【００４２】
図２のテーブル９及び図３の状況アイコン記憶エリア２４２に示す如く、情報処理装置２の記憶部２４は更に、状況種別と、状況アイコンを表す第二アイコン情報との対応を記憶する。図９の第一表示画面８０に示す如く、ＣＰＵ２１は、第一表示として、記憶部２４が記憶する状況種別と第二アイコン情報との対応に因り、最新の状況情報が示す状況種別に応じた色で、状況種別に対応する状況アイコンをＬＣＤ２７に表示する。情報処理装置２は状況種別を状況種別に応じた色の状況アイコンにより表示できる。管理者は状況アイコンと状況アイコンの色とで状況種別を把握できる。
【００４３】
図２のテーブル９に示す如く、情報処理装置２の記憶部２４は更に、縫製装置３に電気的に接続されていない端末装置１０の種類を特定する種類情報と識別情報との対応を記憶する。図１２の詳細状況表示処理においてＣＰＵ２１は、テーブル９が操作情報が示す縫製装置３に対応する種類情報を記憶する時（Ｓ５１：ＹＥＳ）、操作情報に応じて、状況種別に対応する所定の情報（内容）をＬＣＤ２７に表示しない。ＣＰＵ２１はテーブル９が操作情報が示す縫製装置３に対応する種類情報を記憶しない時（Ｓ５１：ＮＯ）、操作情報に応じて、状況種別に対応する所定の情報を第三表示としてＬＣＤ２７に表示する（Ｓ５３）。情報処理システム１では、縫製装置３と電気的に接続していない端末装置１０は、縫製装置３を操作する作業者が入力する状況種別を情報処理装置２に送信する場合がある。該時、情報処理装置２は比較的少ない種類の状況種別のみを送信可能な端末装置１０を特定の種類とすることで、所定の情報を第三表示としてＬＣＤ２７に表示する処理時間を短縮できる。
【００４４】
本発明の情報処理装置、情報処理システム、及び情報処理方法は上記実施形態の他に種々変更できる。情報処理システムが備える装置の種類、数、構成等は適宜変更してよい。縫製装置３が外部機器と通信可能な通信部を有する時、縫製装置３は状況情報を記憶部３４に記憶し、所定のタイミングで直接情報処理装置２に送信してよい。状況情報を送信する所定のタイミングは適宜変更してよい。縫製装置３と電気的に接続していない端末装置１０は例えば、コードの入力を受け付けた時に状況情報を情報処理装置２に送信してよい。縫製装置３が情報処理装置２に送信する状況情報の種類、形式等は適宜変更してよい。情報処理装置２が記憶する状況情報を取得した時刻を示す時刻情報は縫製装置３が付与してもよいし、リムーバブルメディア５及び端末装置１０が付与してもよい。情報処理装置２は例えば、テキストファイル名が含むデータ番号を時刻情報としてもよい。情報処理装置２はＬＣＤ２７、操作部２８を備えないサーバでもよい。該時、情報処理装置２はネットワーク８を介してＰＣ６等の外部機器からの送信される要求に従ってＰＣ６等の外部機器の表示部に要求に応じた第一、第二表示を表示してもよい。即ち情報処理装置２は情報処理システム１が備える外部機器の表示部に第一、第二表示を表示してもよい。情報処理装置２は地理的に離れた複数の工場（拠点）毎に複数の縫製装置３の状況情報を管理しなくてもよい。表示部は、プラズマディスプレイ、及び有機ＥＬディスプレイ等他の表示機器でもよい。記憶部は、ＨＤＤ及びＳＳＤ等の他の記憶機器でもよい。
【００４５】
情報処理装置が処理を実行する為の指令を含むプログラムは、情報処理装置２がプログラムを実行する迄に、情報処理装置が備える記憶機器が記憶すればよい。プログラムの取得方法、取得経路、プログラムを記憶する機器の各々は適宜変更してよい。情報処理装置はプロセッサが実行するプログラムをケーブル又は無線通信を介して他の装置から受信し、フラッシュメモリ等の記憶装置に記憶してもよい。他の装置は例えば、ＰＣ、ネットワーク網を介して接続するサーバを含む。
【００４６】
情報処理装置２が実行する処理の各ステップは、ＣＰＵ２１が実行する例に限らず、他の電子機器（例えば、ＡＳＩＣ）が一部又は全部の処理を実行してもよい。上記処理の各ステップは複数の電子機器（例えば、複数のＣＰＵ）が分散処理してもよい。上記実施形態の状況情報取得処理及び応答処理の各ステップは必要に応じて順序の変更、ステップの省略と追加ができる。本発明は情報処理装置２の制御部からの指令に基づき、情報処理装置２上で稼動するオペレーティングシステム（ＯＳ）等が実際の処理の一部又は全部を行い、該処理によって上記実施形態の機能を実現する態様も含む。
【００４７】
記憶部２４が記憶するテーブル９は、互いに異なるＮ個の状況種別の各々を、互いに異なる色を示すＮよりも小さいＭ個の色情報の何れかに割付けたテーブルであればよい。テーブル９は、Ｎ個の状況種別に対応する所定の情報を記憶しなくてもよい。ＣＰＵ２１はＳ１４、Ｓ１９の処理を省略してよい。第三表示として表示する状況種別に対応する所定の情報は、コード等、他の情報であってもよい。
【００４８】
記憶部２４は、縫製装置の機種を示す機種情報と、機種アイコンを表す第一アイコン情報との対応を記憶しなくてもよい。ＣＰＵ２１は、Ｓ３１で、最新の状況情報が示す状況種別に応じた色で、縫製装置の前記機種情報に対応する機種アイコンをＬＣＤ２７に表示しなくてよい。機種アイコンは縫製装置の外観を表す図柄でなくてもよい。情報処理装置２は、状況種別に応じた色で装置名を表示すること又は状況種別に応じた色で装置名の背景色を表示することを第一表示としてもよい。第二表示の所定期間は適宜変更してよい。第二表示の所定期間は管理者が設定できてもよいし、ＣＰＵ２１が自動的に設定してもよい。ＣＰＵ２１は第二表示をグラフ形式で表示しなくてもよい。ＣＰＵ２１は、グラフ形式で第二表示を行う時、グラフの種類は適宜変更してよい。
【００４９】
記憶部２４は状況種別と、状況アイコンを表す第二アイコン情報との対応を記憶しなくてもよい。ＣＰＵ２１は、第一表示として、最新の状況情報が示す状況種別に応じた色で、状況種別に対応する状況アイコンをＬＣＤ２７に表示しなくてもよい。ＣＰＵ２１は第一表示として、最新の状況情報が示す状況種別に応じた色で、状況アイコンと機種アイコンの何れかのみをＬＣＤ２７に表示してもよい。記憶部２４は、全ての状況種別に状況アイコンを割り付けて記憶してもよい。記憶部２４は、機種アイコンと状況アイコンの各々について、状況種別に割り付け可能な色の図柄のデータを記憶してもよいし、作業状況生成処理において、状況種別に対応する色の図柄のデータを生成してもよい。詳細には、記憶部２４は、特定の色で一種類だけ機種アイコンを予め記憶し、コードが示す状況の色を用いて、該特定の色を置換する画像処理を行ってもよい。このような処理を行った場合にもＣＰＵ２１はＳ２４で取得した機種アイコンをＳ２３で取得したコードに応じた色情報の色でＬＣＤ２７に表示できる。記憶部２４は予め状況アイコンを含む機種アイコンを記憶してもよい。この場合Ｓ３１の処理で、ＣＰＵ２１は状況アイコンを含む機種アイコンをＬＣＤ２７に表示する。ＣＰＵ２１は、機種アイコンと状況アイコンとの両方を表示し、機種アイコンと状況アイコンとの両方とも、状況種別に応じた色で表示してもよい。ＣＰＵ２１は、機種アイコンと状況アイコンとの両方を表示するが、機種アイコンは状況種別に応じた色で表示し、状況アイコンの状況種別によらず同じ色で表示してよい。ＣＰＵ２１は、機種アイコンを表示せず、状況種別に応じた色の状況アイコンのみを表示してよい。
【００５０】
情報処理装置２は、縫製装置に電気的に接続されていない端末装置１０と、縫製装置に電気的に接続されている端末装置とを区別しなくてもよい。情報処理装置２は、操作情報に応じて、端末装置１０が送信した状況種別に対応する所定の情報をＬＣＤ２７に表示してもよい。情報処理装置２が表示する表示内容のレイアウト、大きさ、及び色等は適宜変更してよい。
【符号の説明】
【００５１】
２      情報処理装置
３      縫製装置
５      リムーバブルメディア
２１、３１    ＣＰＵ
２２、３２    ＲＯＭ
２３、３３    ＲＡＭ
２４、３４    記憶部
２５    通信Ｉ／Ｆ
２７    ＬＣＤ
２９    ドライブ装置
５１    通信装置
５２    記憶部
５３    制御部
【図１】
2018055494.tif 000003
【図２】
2018055494.tif 000004
【図３】
2018055494.tif 000005
【図４】
2018055494.tif 000006
【図５】
2018055494.tif 000007
【図６】
2018055494.tif 000008
【図７】
2018055494.tif 000009
【図８】
2018055494.tif 000010
【図９】
2018055494.tif 000011
【図１０】
2018055494.tif 000012
【図１１】
2018055494.tif 000013
【図１２】
2018055494.tif 000014
【図１３】
2018055494.tif 000015
【図１４】
2018055494.tif 000016
【図１５】
2018055494.tif 000017